Podtech/llm-jp-corpus-v4-ja_patent huggingface dataset:
【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  複数の中空糸膜のポッティング加工部に、熱可塑性樹脂の粉末と液体の混合物を付着させる工程（Ａ）と、
該熱可塑性樹脂の粉末を加熱し、溶融させて、該中空糸膜の少なくとも一方の端部とモジュールケースの端部とを接着する工程（Ｂ）と、
を含むと共に、
該工程（Ｂ）の加熱温度における該中空糸膜の熱収縮率をＲ１とし、
該工程（Ａ）において、該混合物の体積に占める該液体の体積率をＲ２としたとき、
以下の関係式（１）を満足する中空糸膜モジュールの製造方法。
関係式（１）    ０．８５≦Ｒ２／Ｒ１≦１．１５
【請求項２】  前記中空糸膜の熱収縮率Ｒ１が、以下の関係式（２）を満足する請求項１に記載の中空糸膜モジュールの製造方法。
関係式（２）    ０．３≦Ｒ１≦０．７
【請求項３】  前記工程（Ａ）と、前記工程（Ｂ）との間に、前記混合物を加熱し、前記液体を蒸発させる工程（Ｃ）を有すると共に、該工程（Ｃ）の加熱温度における前記中空糸膜の熱収縮率をＲ３としたとき、以下の関係式（３）を満足する請求項１又は２に記載の中空糸膜モジュールの製造方法。
関係式（３）    ０．０５≦Ｒ３
【請求項４】  前記工程（Ｂ）において、前記モジュールケースを回転させて、前記モジュールケース端部に遠心力を付与する請求項１〜３いずれか一項に記載の中空糸膜モジュールの製造方法。
【請求項５】  前記工程（Ｂ）において付与する遠心力が、重力の１〜１００倍である請求項４に記載の中空糸膜モジュールの製造方法。
【請求項６】  前記液体がアルコール系液体である請求項１〜５いずれか一項に記載の中空糸膜モジュールの製造方法。
【請求項７】  前記中空糸膜が、中空糸膜総本数の１／５０以下の本数を構成単位とする小集束体の集合体からなる請求項１〜６いずれか一項に記載の中空糸膜モジュールの製造方法。
【請求項８】  固定部における前記中空糸膜の充填率が４０％以上７５％以下である請求項１〜７いずれか一項に記載の中空糸膜モジュールの製造方法。
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】
被処理物の搬送路上に下面を開口されたランプハウスが配置されると共に、このランプハウス内に真空紫外線を放射する紫外線ランプが装着された開放型の紫外線照射装置において、このランプハウスの下部における紫外線ランプよりも搬送路の上流側に、この紫外線ランプの放電容器の下端と面一まで、又は、この下端よりも下方に突出する高さ制限部が形成されたことを特徴とする紫外線照射装置。
【請求項２】前記紫外線ランプが、搬送路の搬送方向にほぼ直交する水平方向の両端部に装着用の口金が取り付けられたものであり、前記高さ制限部の両端部に、この紫外線ランプの口金の下端と面一まで、又は、この下端よりも下方に突出した両端保護部が形成されたことを特徴とする請求項１に記載の紫外線照射装置。
【手続補正２】
【補正対象書類名】明細書
【補正対象項目名】０００９
【補正方法】変更
【補正の内容】
【０００９】
【課題を解決するための手段】
請求項１の紫外線照射装置は、被処理物の搬送路上に下面を開口されたランプハウスが配置されると共に、このランプハウス内に真空紫外線を放射する紫外線ランプが装着された開放型の紫外線照射装置において、このランプハウスの下部における紫外線ランプよりも搬送路の上流側に、この紫外線ランプの放電容器の下端と面一まで、又は、この下端よりも下方に突出する高さ制限部が形成されたことを特徴とする。
【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】  
【請求項１】  被塗布物を昇降し、浸漬槽に満たされたコーティング用液体に浸漬して引き上げ、被塗布物の表面にコーティング膜を施すコーティング方法において、前記コーティング用液体に対し、前記コーティング用液体の補充液を連続的に補充することを特徴とする液体の補充方法。
【請求項２】  請求項１に記載の液体の補充方法であって、前記コーティング用液体に対し、前記コーティング用液体の補充液を間欠吐出することを特徴とする液体の補充方法。
【請求項３】  請求項１または２に記載の液体の補充方法であって、前記補充液の間欠吐出を一定間隔毎に一定量ずつ行うことを特徴とする液体の補充方法。
【請求項４】  請求項１〜３のいずれかに記載の液体の補充方法であって、前記コーティング用液体の補充液を定量ポンプにより吐出することを特徴とする液体の補充方法。
【請求項５】  請求項１〜３のいずれかに記載の液体の補充方法であって、前記コーティング用液体の補充液をディスペンサにより吐出することを特徴とする液体の補充方法。
【請求項６】  請求項１に記載の液体の補充方法であって、前記コーティング用液体に対し、前記コーティング用液体の補充液を滴下することを特徴とする液体の補充方法。
【請求項７】  請求項１または６に記載の液体の補充方法であって、前記コーティング用液体の補充液を点滴方式により滴下することを特徴とする液体の補充方法。
【請求項８】  前記コーティング用液体が、プライマー用組成物、ハードコーティング用組成物、反射防止膜用組成物、撥水膜用組成物のいずれかであることを特徴とする請求項１〜７のいずれかに記載の液体の補充方法。
【請求項９】  被塗布物を昇降可能に支持する支持部と、被塗布物をコーティング用液体に浸漬する浸漬槽と、浸漬槽の縁部より溢れて流出したコーティング用液体を貯える貯液槽とを具備するコーティング装置であって、前記コーティング用液体に対し、前記コーティング用液体の補充液を一定間隔毎に一定量ずつ連続的に間欠吐出する液体定量吐出装置を備えることを特徴とするコーティング装置。
【請求項１０】  前記液体定量吐出装置が、定量ポンプであることを特徴とする請求項９に記載のコーティング装置。
【請求項１１】  前記液体定量吐出装置が、ディスペンサであることを特徴とする請求項９に記載のコーティング装置。
【請求項１２】  被塗布物を昇降可能に支持する支持部と、被塗布物をコーティング用液体に浸漬する浸漬槽と、浸漬槽の縁部より溢れて流出したコーティング用液体を貯える貯液槽とを具備するコーティング装置であって、前記コーティング用液体に対し、前記コーティング用液体の補充液を連続的に滴下する滴下装置を備えることを特徴とするコーティング装置。
【請求項１３】  前記滴下装置が、点滴装置であることを特徴とする請求項１２に記載のコーティング装置。
【請求項１４】  前記コーティング用液体が、プライマー用組成物、ハードコーティング用組成物、反射防止膜用組成物、撥水膜用組成物のいずれかであることを特徴とする請求項９〜１３のいずれかに記載のコーティング装置。
【手続補正２】
【補正対象書類名】明細書
【補正対象項目名】００２１
【補正方法】変更
【補正の内容】
【００２１】
請求項８記載の発明は、前記コーティング用液体が、プライマー用組成物、ハードコーティング用組成物、反射防止膜用組成物、撥水膜用組成物のいずれかであることを特徴とする請求項１〜７のいずれかに記載の液体の補充方法を提供する。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】変更
【補正の内容】
【００２５】
請求項９記載の発明は、被塗布物を昇降可能に支持する支持部と、被塗布物をコーティング用液体に浸漬する浸漬槽と、浸漬槽の縁部より溢れて流出したコーティング用液体を貯える貯液槽とを具備するコーティング装置であって、前記コーティング用液体に対し、前記コーティング用液体の補充液を一定間隔毎に一定量ずつ連続的に間欠吐出する液体定量吐出装置を備えることを特徴とするコーティング装置を提供する。
【手続補正７】
【補正対象書類名】明細書
【補正対象項目名】００２６
【補正方法】変更
【補正の内容】
【００２６】
請求項１０記載の発明は、前記液体定量吐出装置が、定量ポンプであることを特徴とする請求項９に記載のコーティング装置を提供する。
【手続補正８】
【補正対象書類名】明細書
【補正対象項目名】００２７
【補正方法】変更
【補正の内容】
【００２７】
請求項１１記載の発明は、前記液体定量吐出装置が、ディスペンサであることを特徴とする請求項９に記載のコーティング装置を提供する。
【手続補正９】
【補正対象書類名】明細書
【補正対象項目名】００２８
【補正方法】変更
【補正の内容】
【００２８】
請求項１２記載の発明は、被塗布物を昇降可能に支持する支持部と、被塗布物をコーティング用液体に浸漬する浸漬槽と、浸漬槽の縁部より溢れて流出したコーティング用液体を貯える貯液槽とを具備するコーティング装置であって、前記コーティング用液体に対し、前記コーティング用液体の補充液を連続的に滴下する滴下装置を備えることを特徴とするコーティング装置を提供する。
【手続補正１０】
【補正対象書類名】明細書
【補正対象項目名】００２９
【補正方法】変更
【補正の内容】
【００２９】
請求項１３記載の発明は、前記滴下装置が、点滴装置であることを特徴とする請求項１２に記載のコーティング装置を提供する。
【手続補正１１】
【補正対象書類名】明細書
【補正対象項目名】００３０
【補正方法】変更
【補正の内容】
【００３０】
請求項１４記載の発明は、前記コーティング用液体が、プライマー用組成物、ハードコーティング用組成物、反射防止膜用組成物、撥水膜用組成物のいずれかであることを特徴とする請求項９〜１３のいずれかに記載のコーティング装置を提供する。
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
有機性廃棄物及び／又は廃水に由来する試料中の微生物群集であって、セルロース分解能を有し、且つ16S rRNA遺伝子の塩基配列が配列番号１記載の配列と90%以上の相同性を示すクロストリジウムに属する菌株が優占化していることを特徴とする微生物群集。
【請求項２】
セルラーゼ遺伝子の塩基配列が配列番号２記載の配列と80%以上の相同性を示す菌株が優占化していることを特徴とする、請求項１に記載の微生物群集。
【請求項３】
請求項１又は２に記載の微生物群を利用して、有機性廃棄物及び／又は廃水に含まれるセルロースを分解処理することを特徴とする、有機性廃棄物及び／又は廃水の処理方法。
【請求項４】
前記微生物群集が酸発酵及びメタン発酵微生物を更に含み、該微生物群集を利用することにより、有機性廃棄物及び／又は廃水に含まれるセルロースを分解処理してメタンガスとして回収することを特徴とするメタン発酵方法。
【請求項５】
セルロースを含む又はセルロールが添加された有機性廃棄物及び／又は廃水を高温度に保つことにより、該有機性廃棄物及び／又は廃水中において、16S rRNA遺伝子の塩基配列が配列番号１記載の配列と90%以上の相同性を示す且つ／又はセルラーゼ遺伝子の塩基配列が配列番号２記載の配列と80%以上の相同性を示すクロストリジウムに属する菌株を優占化させることを特徴とする、セルロース分解能を有する菌株の増殖促進方法。
【手続補正書】
【提出日】平成17年8月5日(2005.8.5)
【手続補正１】
【補正対象書類名】明細書
【補正対象項目名】００２４
【補正方法】変更
【補正の内容】
【００２４】
香料封入カプセルとして、液状香料を皮膜内に封入したことにより、液状香料の揮発を長時間防ぐことができる。そのため、製造されてから長時間経過したパイプでも、製造直後と同様な香りを楽しむことができる。
【手続補正２】
【補正対象書類名】明細書
【補正対象項目名】００２６
【補正方法】変更
【補正の内容】
【００２６】
上記皮膜としてゼラチンを用いたことの利点としては、
(１)ゾル・ゲル変化することができる。
(2) 皮膜形成機能を有し、その皮膜が機械的強度に優れる。
(3) 毒性がなく、容易に崩壊される。
(4) 入手が容易で、安価である。
などが挙げられる。
【手続補正３】
【補正対象書類名】明細書
【補正対象項目名】図５
【補正方法】変更
【補正の内容】
【図５】
図４のＶ−Ｖ線に沿う断面図である。
【手続補正書】
【提出日】平成16年9月17日(2004.9.17)
【手続補正１】
【補正対象書類名】明細書
【補正対象項目名】請求項１
【補正方法】変更
【補正の内容】
【請求項１】
エステル交換反応を触媒する生体触媒を用い、常温溶融塩中で、アルコールに対してアシルドナーによりエステル交換反応を行うに際し、常温溶融塩として一般式（Ｉ）
【化１】
2004113049.tif 000001
（式中、Ｒ１およびＲ２はそれぞれ水素原子または置換基を有していてもよいアルキル基を表し、Ｒ３は置換基を有していてもよいアルキル基または置換基を有していてもよいアリール基を表す。）
で示されるイミダゾリウム塩からなる常温溶融塩を用い、かつアシルドナーとしてカルボン酸エステルを用いることを特徴とするエステル交換反応方法。
【手続補正２】
【補正対象書類名】明細書
【補正対象項目名】０００４
【補正方法】変更
【補正の内容】
【０００４】
（式中、Ｘ１は、ＰＦ６、ＢＦ４、ＣＦ３ＣＯＯ、ＣＦ３ＳＯ３またはＳｂＦ６を表す。）で示されるイミダゾリウム塩からなる常温溶融塩を用い、アシルドナーとして酢酸ビニルを用いる方法（非特許文献１参照）、（２）常温溶融塩として、一般式
【手続補正３】
【補正対象書類名】明細書
【補正対象項目名】０００６
【補正方法】変更
【補正の内容】
【０００６】
（式中、Ｘ２は、ＰＦ６またはＢＦ４を表す。）で示されるイミダゾリウム塩からなる常温溶融塩を用い、アシルドナーとしてブタン酸エチルを用いる方法（非特許文献２参照）などが知られている。
【手続補正４】
【補正対象書類名】明細書
【補正対象項目名】００１３
【補正方法】変更
【補正の内容】
【００１３】
（式中、Ｒ１およびＲ２はそれぞれ水素原子または置換基を有していてもよいアルキル基を表し、Ｒ３は置換基を有していてもよいアルキル基または置換基を有していてもよいアリール基を表す。）
で示されるイミダゾリウム塩［以下、これをイミダゾリウム塩（Ｉ）と称する］からなる常温溶融塩を用い、かつアシルドナーとしてカルボン酸エステルを用いることを特徴とするエステル交換反応方法である。
【手続補正５】
【補正対象書類名】明細書
【補正対象項目名】００１４
【補正方法】変更
【補正の内容】
【００１４】
【発明の実施の形態】
上記の一般式（Ｉ）において、Ｒ１およびＲ２がそれぞれ表すアルキル基としては、炭素数１〜４のアルキル基が好ましく、例えばメチル基、エチル基、ｎ−ブチル基、イソブチル基などが挙げられる。これらのアルキル基は置換基を有していてもよく、置換基としては、例えばメトキシ基、エトキシ基、プロポキシ基などのアルコキシ基が挙げられる。Ｒ３が表すアルキル基としては、炭素数１〜６のアルキル基が好ましく、例えばメチル基、エチル基、プロピル基、ｎ−ブチル基、ペンチル基、ヘキシル基などが挙げられる。これらのアルキル基は置換基を有していてもよく、置換基としては、例えば、メチル基、エチル基などのアルキル基、フェニル基、ナフチル基などのアリール基；メトキシ基、エトキシ基、プロポキシ基などのアルコキシ基が挙げられる。また、Ｒ３が表すアリール基としては、例えばフェニル基、ナフチル基などが挙げられる。これらのアリール基は置換基を有していてもよく、置換基としては、例えば、メチル基、エチル基などのアルキル基；フェニル基、ナフチル基などのアリール基；メトキシ基、エトキシ基、プロポキシ基などのアルコキシ基が挙げられる。
【手続補正６】
【補正対象書類名】明細書
【補正対象項目名】００２５
【補正方法】変更
【補正の内容】
【００２５】
ブチルメチルイミダゾリウムクロリド７０．０ｇ（０．４０ｍｏｌ）とエトキシエトキシスルホン酸アミド８２．６ｇ（０．４４ｍｏｌ）の混合物にアセトン２００ｍｌを加えて溶解し、室温で２４時間撹拌した後、生じた塩化アンモニウムを、セライトを敷いたグラスフィルターで濾過し、濾取した塩化アンモニウムをアセトンで洗浄し、次いでトルエンで洗浄した。濾液を中性アルミナカラムに通した後、濾液に活性炭１ｇを加え、加温して撹拌し、セライトを敷いたグラスフィルターで活性炭を除去した。濾液をエバポレータで減圧濃縮した後、さらに６０℃、２ｔｏｒｒで６時間減圧し、溶媒を完全に除去し、淡黄色油状物として、下記の物性値を有するＮ−ブチル−Ｎ’−メチルイミダゾリウムエトキシエチルスルホナート（［ｂｍｉｍ］ＥｔＯＣＨ２ＣＨ２ＯＳＯ３）を１１８．８ｇ得た。収率９５％。
【手続補正７】
【補正対象書類名】明細書
【補正対象項目名】００２６
【補正方法】変更
【補正の内容】
【００２６】
１Ｈ−ＮＭＲ（２７０ＭＨｚ，ＣＤＣｌ３，ＴＭＳ）δ：０．９５（３Ｈ，ｔ，Ｊ＝７．３Ｈｚ），１．１５（３Ｈ，ｔ，Ｊ＝６．９Ｈｚ），１．２０−１．４０（２Ｈ，ｍ），１．８０−１．８９（２Ｈ，ｍ），３．５１（２Ｈ，ｑ，Ｊ＝７．３Ｈｚ），３．６８（２Ｈ，ｄｄ，Ｊ１＝４．９，Ｊ２＝２．３Ｈｚ），４．００（３Ｈ，ｓ），４．１５（２Ｈ，ｔ，Ｊ＝４．０Ｈｚ），４．２３（２Ｈ，ｔ，Ｊ＝７．３Ｈｚ），７．４１（２Ｈ，ｄ，Ｊ＝２６．７Ｈｚ），９．４３（１Ｈ，ｓ）
【手続補正８】
【補正対象書類名】明細書
【補正対象項目名】００２７
【補正方法】変更
【補正の内容】
【００２７】
実施例１
撹拌子を備えた内容量３０ｍｌの二口フラスコに、リパーゼ（商品名  Ｎｏｖｏｚｙｍ４３５（Ｎｏｖｏ  Ｎｏｒｄｉｓｋ  Ｂｉｏｉｎｄｕｓｔｒｙ社製））２５ｍｇおよびＮ−ブチル−Ｎ’−メチルイミダゾリウムエトキシエチルスルホナート（［ｂｍｉｍ］ＥｔＯＣＨ２ＣＨ２ＯＳＯ３）１．５ｍｌを入れ、さらにラセミ体３−ヒドロキシ−５−フェニル−１−ペンテン４９．０ｍｇ（０．３０ｍｍｏｌ）および酢酸ビニル３８．７ｍｇ（０．４５ｍｍｏｌ）を加えた後、３５℃で２４時間撹拌した。得られた反応混合物をジエチルエーテル３ｍｌで抽出し、さらにヘキサン／酢酸エチル＝２：１（３ｍｌ）で３回抽出した後、有機層をまとめて減圧濃縮し、濃縮液からシリカゲル薄層クロマトグラフィーにより、（Ｓ）−３−アセトキシ−５−フェニル−１−ペンテン１４．０ｍｇ（収率２３％、＞９９％ｅｅ）と未反応基質（Ｒ）−３−ヒドロキシ−５−フェニル−１−ペンテン３１ｍｇ（収率６２％、３０％ｅｅ）をそれぞれ単離した。（Ｒ）−３−ヒドロキシ−５−フェニル−１−ペンテンおよび（Ｓ）−３−アセトキシ−５−フェニル−１−ペンテンのエナンチオマー過剰率はキラルカラムによるキャピラリーガスクロマトグラフィーで算出した。
【手続補正９】
【補正対象書類名】明細書
【補正対象項目名】００２８
【補正方法】変更
【補正の内容】
【００２８】
実施例２
実施例１において、常温溶融塩としてＮ−ブチル−Ｎ’−メチルイミダゾリウムフェネチルスルホナート（［ｂｍｉｍ］Ｃ６Ｈ５ＣＨ２ＣＨ２ＯＳＯ３）１．５ｍｌを使用した以外は同様にして反応を行い、（Ｓ）−３−アセトキシ−５−フェニル−１−ペンテン１４．３ｍｇ（収率２３％、＞９９％ｅｅ）と未反応基質（Ｒ）−３−ヒドロキシ−５−フェニル−１−ペンテン３１．２ｍｇ（収率６２％、３０％ｅｅ）をそれぞれ単離した。
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
制御ボックスの開口部位に開口部位封止構造を採用した遊技機であって、
上記開口部位封止構造は、
ナットと、
開閉可能な開口部位の一方に設けられたネジ穴と、
開閉可能な開口部位のもう一方に設けられ、上記ナットを固定するナット保持部と、
上記ネジ穴を貫通しつつ上記ナットに螺合するとともに、ねじ込む回転方向に垂直な壁面と、同回転方向の反対方向の傾斜面とからなる切り溝を頭部に有するネジとを具備することを特徴とする遊技機。
【手続補正２】
【補正対象書類名】明細書
【補正対象項目名】０００８
【補正方法】変更
【補正の内容】
【０００８】
上記目的を達成するため、請求項１にかかる発明は、制御ボックスの開口部位に開口部位封止構造を採用した遊技機であって、上記開口部位封止構造は、ナットと、開閉可能な開口部位の一方に設けられたネジ穴と、開閉可能な開口部位のもう一方に設けられ、上記ナットを固定するナット保持部と、上記ネジ穴を貫通しつつ上記ナットに螺合するとともに、ねじ込む回転方向に垂直な壁面と、同回転方向の反対方向の傾斜面とからなる切り溝を頭部に有するネジとを具備する構成としてある。
【手続補正３】
【補正対象書類名】明細書
【補正対象項目名】０００９
【補正方法】変更
【補正の内容】
【０００９】
上記のように構成した請求項１にかかる発明においては、ねじ込み方向には回転方向と垂直な壁面を有しているもの、反対方向には回転方向に沿って傾斜面となっている。このため、ドライバーで螺合しようとするときには、締結方向に回転すると垂直な壁面に回転力が伝わるものの、緩める方向に回転するときには同傾斜面に当接してドライバーを軸方向に押し戻してしまうことになり、必要な回転力を伝えられなくなっている。
【手続補正４】
【補正対象書類名】明細書
【補正対象項目名】００１０
【補正方法】変更
【補正の内容】
【００１０】
なお、本発明は上記構成に限られるものではなく、以下の手段を含むものである。
手段１
上記ナット保持部における上記ナットの固定位置よりも奥方には上記ネジの先端に対面するように金属製の略テーパー部位が形成され、上記ネジの先端は同略テーパー部位に当接したときに径方向外方に屈曲される屈曲部位を形成してもよい。
開口部位における一方の側に形成した上記ナット保持部におけるナットの固定位置よりも奥方には上記ネジの先端に対面するように金属製の略テーパー部位を形成してある。従って、同開口部位における他方の側から上記ネジを螺合していくと、当該ネジの先端に形成した屈曲部位は同略テーパー部位に突き当たり、さらに螺合していくと径方向外方に屈曲される。これにより、以後、ネジを逆方向に回転させたとしても同屈曲部位がナットに当たるので邪魔になり、螺合を解除することができなくなる。
【手続補正５】
【補正対象書類名】明細書
【補正対象項目名】００１１
【補正方法】変更
【補正の内容】
【００１１】
また、螺合を解除するためには屈曲部位を戻したり切除する必要があるが、ナット保持部の奥側には金属製の略テーパー部位が配置されている。従って、裏側の樹脂壁を破損することはできても、この金属製の略テーパー部位は容易には破損できず、無理に破損させようとすれば周囲の部分にも影響を及ぼして前面から発見できてしまうようになる。
さらに、ネジを逆方向に回転させるためにはネジの先端の屈曲部位を元に戻さないと螺合を解除することはできないが、そのためには上記金属製の略テーパー部位のみならず、他の部分をも破損しなければならない。そして、そのように大規模な破損となれば、前面の側から視認できないようにすることは不可能であるから、実質的に不正は困難となる。
手段２
略テーパー部位は、突き当てられた屈曲部位を径方向外方に屈曲させるものである。従って、その形態は各種のものを採用可能である。
【手続補正６】
【補正対象書類名】明細書
【補正対象項目名】００２１
【補正方法】変更
【補正の内容】
【００２１】
以上説明したように本発明は、螺合を解くことを防止し、不正を防止しやすくすることが可能な開口部位封止構造を採用した遊技機を提供することができる。そして、遊技機の制御ボックスに適用することにより、遊技プログラムを記録したＩＣの内容を書き換える不正を未然に防ぐことができる。
また、手段１にかかる発明によれば、屈曲部位がナットに当たるので邪魔になり、螺合を解除することができなくなる。
【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
オオムギの「はるな二条」、「赤神力」、及び「H.spontaneum」の品種間で見出された一塩基多型（ＳＮＰ）を含むオリゴヌクレオチドであって、
配列番号１〜５３４の何れかに表されるＤＮＡ配列において、塩基の表記が「ユニバーサルコード」で記載されている多型部位のうち、非同義置換を生ぜしめる多型部位の少なくとも一つを含み、少なくともプローブとして使用可能な長さを有しているＤＮＡ配列、またはその相補配列からなり、
上記多型部位またはその相補部位を２つ以上組み合わせて、あるいは、他の遺伝子マーカーと併せて植物の品種識別に用いられることを特徴とするオリゴヌクレオチド。
【請求項２】
配列番号１〜５３４の何れかに表されるＤＮＡ配列において、塩基の表記が「ユニバーサルコード」で記載されている多型部位のうち、非同義置換を生ぜしめる多型部位の少なくとも一つを含む７以上の連続したＤＮＡ配列、またはその相補配列からなるオリゴヌクレオチドをプローブとして少なくとも一つ固定化してなることを特徴とするＤＮＡチップ。
【請求項３】
配列番号１〜５３４の何れかに表されるＤＮＡ配列において、塩基の表記が「ユニバーサルコード」で記載されている多型部位のうち、非同義置換を生ぜしめる多型部位、またはその相補部位の少なくとも一つに基づいて、被検体の遺伝子に生じた一塩基多型を検定又は同定する検定方法。
【請求項４】
配列番号１〜５３４の何れかに表されるＤＮＡ配列において、塩基の表記が「ユニバーサルコード」で記載されている多型部位のうち、非同義置換を生ぜしめる多型部位、またはその相補部位の少なくとも一つを含有する遺伝子を単離する工程と、得られた遺伝子を遺伝子操作技術を用いて対象とする細胞に導入する工程とを含む形質転換体の生産方法。
【請求項５】
配列番号１〜５３４の何れかに表されるＤＮＡ配列において、塩基の表記が「ユニバーサルコード」で記載されている多型部位のうち、非同義置換を生ぜしめる多型部位、またはその相補部位の少なくとも一つを含有する遺伝子を持つ親植物Ａと、この遺伝子を有さない、あるいはこの遺伝子に一塩基多型が生じたアリルを有する親植物Ｂとを交配させて雑種の植物を作出する工程と、次いで、当該雑種の植物の中から前記遺伝子を持つものを、請求項１に記載のオリゴヌクレオチドの少なくとも一つを用いて、又は請求項３に記載の検定方法を用いて選抜する工程とを含んでなる形質転換体の生産方法。
【請求項６】
請求項４または５に記載の方法により生産された形質転換体。
【請求項７】
配列番号１〜５３４の何れかに表されるＤＮＡ配列からなるポリヌクレオチドにおける、塩基の表記が「ユニバーサルコード」で記載されている多型部位のうち、非同義置換を生ぜしめる多型部位の少なくとも一つを含む領域、またはその相補領域の少なくとも一方を増幅し得るように設計されたプライマー。
【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
箱体と、前記箱体の略上面部に開口した手挿入口と、前記手挿入口近傍内面の対面する位置に形成され、前記手挿入口に挿入される手の掌側と甲側の両面に気体を吹出す気体吹出口とを備えた手乾燥装置において、前記手挿入口は、くの字形又は円弧状に、中央部より左右方向が使用者側へ近づいて開口したことを特徴とする手乾燥装置。
【請求項２】
前記手乾燥装置は、前記箱体の上面を使用者側へ傾斜させたことを特徴とする請求項１記載の手乾燥装置。
【手続補正２】
【補正対象書類名】明細書
【補正対象項目名】０００７
【補正方法】変更
【補正の内容】
【０００７】
【課題を解決するための手段及びその作用・効果】
本発明は、箱体と、前記箱体の略上面部に開口した手挿入口と、前記手挿入口近傍内面の対面する位置に形成され、前記手挿入口に挿入される手の掌側と甲側の両面に気体を吹出す気体吹出口とを備えた手乾燥装置において、前記手挿入口は、くの字形又は円弧状に、中央部より左右方向が使用者側へ近づいて開口したことを特徴としている。
【手続補正３】
【補正対象書類名】明細書
【補正対象項目名】０００８
【補正方法】変更
【補正の内容】
【０００８】
この構成によれば、手挿入部に挿入された手に対して掌と手の甲の両側に同時に気体を当てることができるので、複数回手の挿入を繰り返すことなく、手に付着した水分を効率よく除去することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、前記手挿入口を、くの字形又は円弧状に中央部より左右方向が使用者側へ近づいて開口した構成としたため、手を自然な体勢で挿入することができるので使用感の向上が図れる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２６
【補正方法】変更
【補正の内容】
【００２６】
そして、気体吹出口３ａ、３ｂから吹出された吹出し風により吹き飛ばされた水滴等は水受部４に集められる。
【手続補正１６】
【補正対象書類名】明細書
【補正対象項目名】００３６
【補正方法】変更
【補正の内容】
【００３６】
尚、図示はないが気体吹出口３ａ及び３ｂを使用者から離れる方向に気体を吹出すように構成すれば、気体吹出口３ａ及び３ｂから吹出された気体や飛散した水等が使用者に当るのを防止することができる。
【手続補正１７】
【補正対象書類名】明細書
【補正対象項目名】００４１
【補正方法】変更
【補正の内容】
【００４１】
図５に示すように、手乾燥装置Ａの手挿入部２を照らす照明手段５を吹出口の下に設けたものである。
【手続補正１８】
【補正対象書類名】明細書
【補正対象項目名】００５４
【補正方法】変更
【補正の内容】
【００５４】
また、所定時間内に清掃等が終了した場合、再度清掃スイッチ１０を操作することで手検出手段９ａ及び９ｂにより手を検出した場合、気体吹出し口３ａ及び３ｂからのから吹出し風が出るように出来るので使い勝手が良くなる。また、気体吹出口の風量を、手の甲側より水分の多い掌側を多くした構成にすれば、乾燥効率の向上が図れる。また、手挿入部を照らす照明手段を備えた構成にすれば、手挿入部が明るくなり清潔感が有り安心して使用できる。また、照明手段は、吹出口掌側近傍に配設され、掌側から水受部側に向かって照射される構成にすれば、照明手段が使用者に直接見にくくなり眩しさを防止できる。また、水受部に受けた水を誘導する排出路と前記水をためる水受けトレイを設けた構成にすれば、水受部に水が残らず乾燥風での水の飛散を防止でき水等が使用者に当たって不快感を与えることがない。また、水受けトレイを、箱体下部に設ければ、水受部の水を自然に水受トレイに排出することができ水受部に水が残るのを防止できるので乾燥風での水の飛散を防止でき水等が使用者に当たって不快感を与えることがない。また、箱体水受部の下方で水受けトレイ上方の内部左右方向の中心位置に気体供給装置を備え、気体吹出口に気体を供給する構成にすると、手乾燥装置がコンパクトになり設置、移動が簡単にスムーズに実施できる。また、気体吹出口に対して差し出された手を検出する手検出手段と、該手検出手段からの検出信号に基づいて気体供給装置の駆動を制御する制御部と、清掃時に操作する清掃用スイッチとを備え、制御部は、清掃用スイッチによる操作信号が入力されると、手検出手段による検出信号を所定時間無効にし、所定時間経過後は検出信号を有効にすべく制御する構成にすれば、清掃時清掃用スイッチを操作することで手検出手段により手を検出しても、気体吹出口からの吹出し風が出るのを一時的に停止でき、所定時間経過後は前記手検出手段の検出信号に基づき気体吹出し口からの吹出し風が出るように出来るので清掃がスムーズに実施できる。また、清掃用スイッチは、所定時間内に再度操作信号が入力されると操作信号を有効にする構成にすれば、所定時間内に清掃等が終了した場合、再度清掃スイッチを操作することで手検出手段により手を検出した場合、気体吹出し口から吹出し風が出るように出来る。
【手続補正書】
【提出日】平成17年8月25日(2005.8.25)
【手続補正１】
【補正対象書類名】明細書
【補正対象項目名】０００３
【補正方法】変更
【補正の内容】
【０００３】
このような超音波診断装置において、超音波探触子の接触位置を判りやすくするために、特開昭６０−６６７３５号公報に表記されているように、被検体を輪郭と複数の楕円によって立体的に表示し、超音波探触子の位置を表示する超音波診断装置の診断部位表示方法が開示されている。
【手続補正２】
【補正対象書類名】明細書
【補正対象項目名】０００４
【補正方法】変更
【補正の内容】
【０００４】
また、上述したような被検体を輪郭と複数の楕円による抽象的なボディーマークではなく、特開平１０−１５１１３１号公報に表記されているように、ＣＴ画像及びＭＲＩ画像を超音波探触子の走査している位直にあわせて表示させる方法が開示されている。
【手続補正３】
【補正対象書類名】明細書
【補正対象項目名】００３７
【補正方法】変更
【補正の内容】
【００３７】
電子ラジアル走査型超音波内視鏡１９は、超音波信号を送受信する超音波振動子を電気的に切り換えて、挿入軸の円周上に超音波を走査するため、第１の実施の形態の機械走査型超音波内視鏡１のように、シャフト１６のねじれによる超音波画像の上方向がずれることはないが、挿入端に位置センサを設けることにより、超音波の走査位置を正確に捉えることができる。なお、電子ラジアル走査型超音波内視鏡１９は、挿入軸の全周に超音波振動子群１８を設ける必要はなく、一部かけた状態、例えば、２７０度に設けてあってもよい。
【手続補正４】
【補正対象書類名】明細書
【補正対象項目名】００８６
【補正方法】変更
【補正の内容】
【００８６】
（付記項４）  前記模式図データ記憶手段は、
人体のシェーマ画像もしくは、被検体のＣＴ画像もしくは、被検体のＭＲＩ画像もしくは、凍結死体から得られる人体の実際の光学画像等、種類の異なる複数の模式図データ記憶手段と、
前記複数の模式図データ記憶手段を切り替える模式図データ切り換え手段と、
前記複数の模式図データ切り換え手段を制御する制御手段と
を備えたことを特徴とする付記項１に記載の超音波診断装置。
【手続補正５】
【補正対象書類名】明細書
【補正対象項目名】００９１
【補正方法】変更
【補正の内容】
【００９１】
（付記項９）  前記被検体内の超音波画像を得る手段は、
被検体内に挿入する細長で可撓性のある超音波プローブ
を備えたことを特徴とする付記項１、６または９のいずれか一つに記載の超音波診断装置。
【手続補正６】
【補正対象書類名】明細書
【補正対象項目名】００９４
【補正方法】変更
【補正の内容】
【００９４】
（付記項１２）  被検体内に挿入する細長で可撓性のある超音波プローブは、
挿入軸の周囲に超音波振動子群をアレイ状に設けた電子ラジアル走査型超音波内視鏡であること、
もしくは、挿入軸の一方に超音波振動子群を扇状に設けた電子コンベツクス走査型超音波内視鏡であること、
もしくは、挿入軸を中心に超音波振動子群が回転する機械走査型超音波内視鏡であること
を特徴とする付記項１１に記載の超音波診断装置。
【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
３次元画像データが蓄積される記憶部と、画像を表示する表示部と、該表示部に表示された断層像に重ねて表示され表示面設定マークおよび視点位置および視線方向を指定するマークの向きおよび位置を操作する入力部と、前記３次元画像データを用いて前記視点位置から前記視線方向にみた投影画像を生成して前記表示部に表示させる投影画像生成部とを有する超音波診断装置。
【手続補正２】
【補正対象書類名】明細書
【補正対象項目名】００１０
【補正方法】変更
【補正の内容】
【００１０】
本発明は、３次元画像データが蓄積される記憶部と、画像を表示する表示部と、この表示部に表示された断層像に重ねて表示され表示面設定マークおよび視点位置および視線方向を指定するマークの向きおよび位置を操作する入力部と、３次元画像データを用いて指定された視点位置から指定された視線方向にみた投影画像を生成して表示部に表示させる投影画像生成部とを有する超音波診断装置によって上述した課題を解決する。
【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
被検体を載せるベッドと組み合わせて用いられる骨塩量測定装置において、
ビーム走査方向と直交するピッチ送り方向に扇状に広がったＸ線ビームを形成するＸ線発生器と、
前記Ｘ線発生器に対して前記ベッドを介して対向配置され、前記被検体を透過したＸ線を検出するＸ線検出器と、
前記Ｘ線ビームを前記被検体に対して相対的に移動させる機構であって、前記ピッチ送り方向における各ピッチ送り位置ごとに設定された前記ビーム走査方向の走査ラインに沿って前記Ｘ線ビームを順次走査することにより、パラレルスキャンを実行する走査機構と、
前記パラレルスキャンにより得られるＸ線検出データ群に基づいて骨塩量の二次元分布を解析するデータ解析部と、
前記ベッドの高さによらずに前記骨塩量の二次元分布が適正に得られるように、前記ベッドの高さに応じて当該骨塩量測定装置の動作条件を変更する制御部と、
を含むことを特徴とする骨塩量測定装置。
【請求項２】
請求項１に記載の骨塩量測定装置において、
前記制御部は、前記被検体に対して想定される測定基準面上において、隣接走査ライン間でＸ線ビーム通過領域が揃うように、前記動作条件を変更することを特徴とする骨塩量測定装置。
【請求項３】
請求項２に記載の骨塩量測定装置において、
前記動作条件の変更は、前記パラレルスキャンにおける隣接走査ライン間のピッチを変更することであることを特徴とする骨塩量測定装置。
【請求項４】
請求項２に記載の骨塩量測定装置において、
前記動作条件の変更は、前記Ｘ線ビームの広がり角度を変更することであることを特徴とする骨塩量測定装置。
【請求項５】
請求項２に記載の骨塩量測定装置において、
前記Ｘ線検出器は、前記ピッチ送り方向に並んだ複数のＸ線検出素子によって構成され、
前記Ｘ線検出データ群は、前記複数のＸ線検出素子の中で有効検出開口に属する複数のＸ線検出素子で得られた複数のＸ線検出データであり、
前記動作条件の変更は、前記複数のＸ線検出素子について前記有効検出開口の大きさを変更することであることを特徴とする骨塩量測定装置。
【請求項６】
被検体を載せるベッドと組み合わせて用いられる骨塩量測定装置において、
ビーム走査方向と直交するピッチ送り方向に扇状に広がったＸ線ビームを形成するＸ線発生器と、
前記Ｘ線発生器に対して前記ベッドを介して対向配置され、前記被検体を透過したＸ線を検出するＸ線検出器と、
前記Ｘ線発生器と前記Ｘ線検出器とで構成される測定ユニットを前記被検体に対して相対的に移動させる機構であって、前記ピッチ送り方向における各ピッチ送り位置ごとに設定された前記ビーム走査方向の走査ラインに沿って前記Ｘ線ビームを順次走査することにより、パラレルスキャンを実行する走査機構と、
前記ベッドの高さに応じて、前記パラレルスキャンにおける隣接走査ライン間のピッチを変更する制御部と、
を含むことを特徴とする骨塩量測定装置。
【請求項７】
被検体を載せるベッドと組み合わせて用いられる骨塩量測定装置において、
ビーム走査方向と直交するピッチ送り方向に扇状に広がったＸ線ビームを形成するＸ線発生器と、
前記Ｘ線発生器に対して前記ベッドを介して対向配置され、前記被検体を透過したＸ線を検出するＸ線検出器と、
前記Ｘ線発生器と前記Ｘ線検出器とで構成される測定ユニットを前記被検体に対して相対的に移動させる機構であって、前記ピッチ送り方向における各ピッチ送り位置ごとに設定された前記ビーム走査方向の走査ラインに沿って前記Ｘ線ビームを順次走査することにより、パラレルスキャンを実行する走査機構と、
前記ベッドの高さに応じて、前記Ｘ線ビームの広がり角度を変更する制御部と、
を含むことを特徴とする骨塩量測定装置。
【請求項８】
被検体を載せるベッドと組み合わせて用いられる骨塩量測定装置において、
ビーム走査方向と直交するピッチ送り方向に扇状に広がったＸ線ビームを形成するＸ線発生器と、
前記Ｘ線発生器に対して前記ベッドを介して対向配置され、前記被検体を透過したＸ線を検出する手段であって、前記ピッチ送り方向に並んだ複数のＸ線検出素子によって構成されたＸ線検出器と、
前記Ｘ線発生器と前記Ｘ線検出器とで構成される測定ユニットを前記被検体に対して相対的に移動させる機構であって、前記ピッチ送り方向における各ピッチ送り位置ごとに設定された前記ビーム走査方向の走査ラインに沿って前記Ｘ線ビームを順次走査することにより、パラレルスキャンを実行する走査機構と、
前記ベッドの高さに応じて、前記複数のＸ線検出素子について有効検出開口の大きさを変更する制御部と、
前記複数のＸ線検出素子の中で前記有効検出開口に属する複数のＸ線検出素子で得られた複数の検出データに基づいて、骨塩量の二次元分布を解析するデータ解析部と、
を含むことを特徴とする骨塩量測定装置。
【手続補正２】
【補正対象書類名】明細書
【補正対象項目名】０００６
【補正方法】変更
【補正の内容】
【０００６】
図７において、骨塩量測定装置は、内部にＸ線発生器１６が設けられた下部ユニットと、Ｘ線検出器２２が設けられた上部ユニットとが一体として移動可能に構成される。そして、下部ユニットと上部ユニットとの間にベッド１２が配置されるように、ベッド１２と骨塩測定装置が組みつけられる。ベッド１２上には被検体２４が載置される。Ｘ線発生器１６は、扇状に広がったＸ線ビーム１８を被検体２４の腰椎２６に照射し、被検体２４を透過したＸ線はＸ線検出器２２で検出される。
【手続補正３】
【補正対象書類名】明細書
【補正対象項目名】００２０
【補正方法】変更
【補正の内容】
【００２０】
また、本発明に係る骨塩量測定装置において、前記Ｘ線検出器は、前記ピッチ送り方向に並んだ複数のＸ線検出素子によって構成され、前記Ｘ線検出データ群は、前記複数のＸ線検出素子の中で有効検出開口に属する複数のＸ線検出素子で得られた複数のＸ線検出データであり、前記動作条件の変更は、前記複数のＸ線検出素子について前記有効検出開口の大きさを変更することであることが好ましい。
【手続補正４】
【補正対象書類名】明細書
【補正対象項目名】００２５
【補正方法】変更
【補正の内容】
【００２５】
また、本発明に係る骨塩量測定装置は、被検体を載せるベッドと組み合わせて用いられる骨塩量測定装置において、ビーム走査方向と直交するピッチ送り方向に扇状に広がったＸ線ビームを形成するＸ線発生器と、前記Ｘ線発生器に対して前記ベッドを介して対向配置され、前記被検体を透過したＸ線を検出する手段であって、前記ピッチ送り方向に並んだ複数のＸ線検出素子によって構成されたＸ線検出器と、前記Ｘ線発生器と前記Ｘ線検出器とで構成される測定ユニットを前記被検体に対して相対的に移動させる機構であって、前記ピッチ送り方向における各ピッチ送り位置ごとに設定された前記ビーム走査方向の走査ラインに沿って前記Ｘ線ビームを順次走査することにより、パラレルスキャンを実行する走査機構と、前記ベッドの高さに応じて、前記複数のＸ線検出素子について有効検出開口の大きさを変更する制御部と、前記複数のＸ線検出素子の中で前記有効検出開口に属する複数のＸ線検出素子で得られた複数の検出データに基づいて、骨塩量の二次元分布を解析するデータ解析部と、を含むことを特徴とする。
【手続補正書】
【提出日】平成16年3月3日(2004.3.3)
【手続補正１】
【補正対象書類名】明細書
【補正対象項目名】００３２
【補正方法】変更
【補正の内容】
【００３２】
前扉２の前面において表示装置保護窓３の下方位置には、スタートレバー１１、回胴停止装置である３つの停止ボタン１２、ＢＥＴボタン１３、メダル返却ボタン１４、清算ボタン１５、メダル投入口１６、施錠装置１７などが配設されている。また、前扉２の前面における最下方中央部位置には受け皿１８が配設されている。受け皿１８の中央部にはメダル排出口１９が形成され、その両側には一対のスピーカ２０が配設されている。


【手続補正２】
【補正対象書類名】明細書
【補正対象項目名】００３６
【補正方法】変更
【補正の内容】
【００３６】
図２，図３，図４，図８，図９等に示されるように、メダルセレクタ基体３２は合成樹脂材料からなる成形品であって、基体表面３２ａ側には途中に曲がった部分（即ち進行方向変更部）を有するメダル通路４１が構成されるようになっている。即ち、メダルセレクタ基体３２の基体表面３２ａは、メダル通路４１の一方側の側壁となっている。図２に示されるように、メダルセレクタ基体３２の上端部には、メダル通路４１内にメダルＭ１を取り込む際の入口である取込口３６が形成されている。かかる取込口３６は、前扉２に設けられたメダル投入口１６の直下に配置されている。メダルセレクタ基体３２の下端部には、メダル通路４１からメダルを排出するための出口３４が延設されている。出口３４はホッパー２１の上端開口部の直上に位置している。


【手続補正３】
【補正対象書類名】明細書
【補正対象項目名】００６５
【補正方法】変更
【補正の内容】
【００６５】
次に、このメダルセレクタ３１のメンテナンスについて説明する。カバー部材３３は透明な材料からなるため、わざわざカバー部材３３を取り外さなくてもメダル通路４１の内側を視認することができ、メダル詰まりや汚れを容易に発見することができる。例えば、カバー部材３３を介して汚れなどが確認された場合には、弾性係止部材６１のフック部６１ｂを引っ張って弾性変形させることにより、フック部６１ｂの係止を解除する。これによってカバー部材３３をメダルセレクタ基体３２から簡単に取り外すことができる。そのとき、メダル通路４１における第１通路４２の内側が露出するため、当該部分の掃除を容易に行うことができる。また、開閉レール部材７１のレール湾曲部７３にはメダル通過時に荷重が加わるため磨耗などが起こりやすいが、その際には開閉レール部材７１をカバー部材３３ごと取り外して新しいものに容易に交換することができる。以上のようにしてメンテナンスを容易に行うことができる。メンテナンスが完了したら、弾性係止部材６１のフック部６１ｂをメダルセレクタ基体３２に係止させることで、再びカバー部材３３をメダルセレクタ基体３２に取り付けて第１通路４２を復元するようにする。


【手続補正４】
【補正対象書類名】明細書
【補正対象項目名】００７６
【補正方法】変更
【補正の内容】
【００７６】
・第２通路４３のレール直線部７４に設けられる検知手段は、前記実施形態のような光センサ５１のみに限定されることはなく、光センサ５１以外のセンサであってもよい。ただし、通過時にメダルＭ１の速度を落としやすい接触式センサを用いるよりは、通過時にメダルＭ１の速度を落とさない光センサ５１等のような非接触式センサを用いることが望ましい。
【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  被検者の脈波を検出する脈波検出器を持ち、該脈波検出器により検出された脈波信号に基づいて、脈波の所期する位相位置に対応した眼圧を測定する非接触式眼圧計において、ある脈波の所期する位相位置に対応する測定タイミングをそれより以前に検出された脈波の周期を基に決定する第１決定手段と、ある脈波の所期する位相位置に対応する測定タイミングをその脈波信号の変化を基に決定する第２決定手段と、前記第１決定手段と第２決定手段とを選択する選択手段と、を備えることを特徴とする非接触式眼圧計。
【手続補正２】
【補正対象書類名】明細書
【補正対象項目名】０００７
【補正方法】変更
【補正の内容】
【０００７】
【課題を解決するための手段】
上記課題を解決するために、本発明は以下のような構成を備えることを特徴とする。
（１）  被検者の脈波を検出する脈波検出器を持ち、該脈波検出器により検出された脈波信号に基づいて、脈波の所期する位相位置に対応した眼圧を測定する非接触式眼圧計において、ある脈波の所期する位相位置に対応する測定タイミングをそれより以前に検出された脈波の周期を基に決定する第１決定手段と、ある脈波の所期する位相位置に対応する測定タイミングをその脈波信号の変化を基に決定する第２決定手段と、前記第１決定手段と第２決定手段とを選択する選択手段と、を備えることを特徴とする。
【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
音を発生させるためのスピーカと、機能部品を覆うケースカバーを有する便座装置において、前記スピーカを前記便座装置の後方に位置する壁向きに上斜め方向に傾斜させて配置したことを特徴とする音発生機能付き便座装置。
【請求項２】
前記スピーカを左右一対に配置したことを特徴とする請求項１記載の音発生機能付き便座装置。
【請求項３】
前記ケースカバーの背面に音発生用貫通穴を設けたことを特徴とする請求項１または２記載の音発生機能付き便座装置。
【請求項４】
前記音発生用貫通穴の開口端の周上または音発生用貫通穴の上方に位置する前記ケースカバー上に凸部位を設けたことを特徴とする請求項３記載の音発生機能付き便座装置。
【手続補正２】
【補正対象書類名】明細書
【補正対象項目名】０００６
【補正方法】変更
【補正の内容】
【０００６】
【課題を解決するための手段および作用および効果】
請求項１記載の発明における便座装置においては、音を発生させるためのスピーカと、機能部品を覆うケースカバーを有する便座装置において、該スピーカを該便座装置の後方に位置する壁向きに上斜め方向に傾斜させて配置したことを特徴とする。これにより、スピーカから発生された音は、一般的にケースカバーの背面から数センチ以内の距離に位置するトイレ後ろ壁に反射し、効率よく使用者の耳へ到達することが出来る。
【手続補正３】
【補正対象書類名】明細書
【補正対象項目名】０００８
【補正方法】変更
【補正の内容】
【０００８】
請求項３記載の発明における便座装置においては、前記ケースカバーの背面に音発生用貫通穴を設けたことを特徴とする。さらに、請求項４記載の発明における便座装置においては、前記音発生用貫通穴の開口端の周上または音発生用貫通穴の上方に位置する前記ケースカバー上に凸部位を設けたことを特徴とする。これにより、上方よりケースカバーを伝ってくる水が、穴を通じて水に弱い便座装置内部へ侵入することを防止することが出来る。